(57)【要約】【課題】  同一サイズの安価な金具を用いてカバーを鋼管杭に対して強固に固定できる防食カバーの取り付け構造を提供する。【解決手段】  この構造は、横方向に調節可能な複数のフラット板（８）を介して鋼管杭（１）に固着された垂直金具（２）と、前記鋼管杭の下方に固着された底板（７）と、表面に複数の締結部材（９，１１）が設けられ、対向する２つの垂直金具（２，２）に固定されたカバーフレーム（３）と、前記底板に載置され両側がカバーフレーム（３）に固定されて鋼管杭の海側を覆う防食カバー（５）と、隣り合う前記カバーの間を覆う直線カバー（６）とから構成され、フラット板を調節することで鋼管径や取り付け位置に対応できる。また、カバーフレーム３と防食カバー５との間にすきまがある場合には調整板４が介装される。【選択図】図１
2015094213.tif 000002
【特許請求の範囲】
【請求項１】
横方向に調節可能な複数のフラット板（８）を介して鋼管杭（１）に固着された垂直金具（２）と、前記鋼管杭の下方に固着された底板（７）と、表面に複数の締結部材（９，１１）が設けられ、対向する２つの垂直金具（２，２）に固定されたカバーフレーム（３）と、前記底板に載置され両側がカバーフレーム（３）に固定されて鋼管杭の海側を覆う防食カバー（５）と、隣り合う前記カバーの間を覆う直線カバー（６）と、から成る防食カバーの取り付け構造。
【請求項２】
カバーフレーム３と防食カバー５との間にすきま調整板４が介装された請求項１に記載の防食カバーの取り付け構造。
【発明の詳細な説明】
【技術分野】
【０００１】  本発明は、護岸に多数打ち込まれている鋼管杭、特に連結継手がなく間隔をおいて設置されている鋼管杭を防食するためのカバー取り付け構造に関する。
【背景技術】
【０００２】  通常鋼管矢板は、複数の鋼管杭を継手で連結して一列に配置されており、鋼管の干満域及び飛沫域は集中的に腐蝕するためその海側を耐蝕性のカバーで被覆し、カバーと鋼管の間にモルタルを充填する工事が行なわれている。鋼管杭の外側は半円形のカバーで、継手の外側は直線カバーで被覆される。【０００３】  鋼管杭を連結する継手には嵌合タイプや噛み合いタイプがあるが、護岸の中には継手がなく単に間隔をおいて打ち込まれた鋼管杭が存在する。【０００４】
【特許文献１】実開平２−３３８４７号公報
【特許文献２】実開昭６０−１６９３５１号公報
【発明の開示】
【発明が解決しようとする課題】
【０００５】  継手があれば実開平２−３３８４７号や実開昭６０−１６９３５１号のように継手にボルトスタッドを立ててシールや直線カバーを強固に固定できるが、継手がない場合には半円形カバーおよび直線カバーの取り付け強度が弱くなってモルタル圧に耐えられない。【０００６】  このため各鋼管杭の間に金具を配置することが考えられるが、従来の型鋼（図２の金具２参照）を傾けずに鋼管杭に当てようとすれば、一端は当たるが他端は当たらない難点がある（両端が当たるのは中心方向のみ）。かといって各鋼管の直径や取り付け位置に応じたサイズの金具を製作すればコスト高になってしまう。【０００７】  本発明は、かかる事情に鑑みてなされたものであり、その目的は、同一サイズの安価な金具を用いてカバーを強固に固定できる防食カバーの取り付け構造を提供することにある。
【課題を解決するための手段】
【０００８】  上記目的を達成するため、請求項１の取り付け構造は、横方向に調節可能な複数のフラット板を介して鋼管杭に固着された垂直金具と、前記鋼管杭の下方に固着された底板と、表面に複数の締結部材が設けられ、対向する２つの金具に固定されたカバーフレームと、前記底板に載置され両側がカバーフレームに固定されて鋼管杭の海側を覆う防食カバーと、隣り合う前記カバーの間を覆う直線カバーとから構成されている。【０００９】  また、請求項２の取り付け構造では、防食カバーとカバーフレームとの間にすきま調整板を介装している。
【発明の効果】
【００１０】  請求項１の構造によれば、垂直金具の各フラット板を横方向に調節して鋼管杭に固着するので、直径の異なる鋼管杭や取り付け位置にかかわらず同じサイズの金具とフラット板で対応できると共に、カバーの取り付け強度も向上する効果がある。また、請求項２の構造により、カバー取り付け時にカバーフレームとの間に隙間ができるのを防止することができる。
【発明を実施するための最良の形態】
【００１１】  図１，２には、本発明が適用されたカバー取り付け構造の平面図及び拡大図が示されている。【００１２】  鋼管杭１は、継手がなく間隔をおいて配置され、鋼管杭１の海側は垂直金具２、カバーフレーム３および調整板４を介して防食カバー５と直線カバー６で被覆されている。また、鋼管杭１の下方には、カバー５，６を載置するための底板７が溶接されている。【００１３】  垂直金具２は、図３から分かるように細長い型鋼が用いられ、その一端に間隔をおいて複数のフラット板８が設けられている。このフラット板８は、鋼管杭１に垂直金具２を溶接する際に横方向に調節してから金具２に連結され、杭１のサイズや取り付け位置が変わっっても対応できるようになっている。カバーフレーム３は、図４に示すように鋼材を組み合わせて枠形状にしたもので、表面にカバー取り付け用のボルトスタッド９が多数立設されている。【００１４】  防食カバー５は、ＦＲＰ製の半円形で両側に取り付け用のフランジ５ａ，５ｂが形成され、フランジにはカバーフレームのボルトスタッド９に嵌め込むための孔（図示せず）が設けられている。直線カバー６は、隣り合う防食カバー５，５間を被覆するためのもので、同じくＦＲＰ製でボルトスタッド９に嵌合する孔（図示せず）が設けられている。カバー５，６の孔はボルトスタッド９の直径よりも大きく形成して、少々の誤差があっても嵌め込みやすくするのが望ましい。カバーフランジ５ａ，５ｂとカバーフレーム３とは、図２に示すようにパッキン１０を介して固定されるが、取り付け時の誤差で隙間ができるときは調整板４を追加する。【００１５】  次に図１，２に従って防食カバーの取り付け順序を説明する。まず、鋼管杭１の垂直金具２の取り付け位置を決め、フラット板８の先端が鋼管外面に当たる位置で金具２に溶接し、続いて金具２の一端とフラット板先端を鋼管杭１に溶接する。以下各鋼管杭に金具２を固着したら、鋼管杭１の下方に底板７を固着する。【００１６】  次にカバーフレーム３のボルトスタッド９にパッキン１０、隙間があれば調整板４を入れてから防食カバー５を一旦底板７に載せ、フランジ５ａの孔をボルトスタッド９に通してワッシャ１２およびナット１１で締め付ける。最後に直線カバー６をフレームのボルトスタッド９に嵌め込んで固着すれば、カバー５，５間が被覆される。あとは従来と同様に鋼管杭１とカバー５，６との間にモルタルを充填して固化させる。
【図面の簡単な説明】
【００１７】
【図１】防食カバー取り付け構造の平面図である。
【図２】カバー取り付け部分の拡大図である。
【図３】垂直金具の斜視図である。
【図４】カバーフレーム、シール、調整板の斜視図である。
【符号の説明】
【００１８】  １  鋼管杭
２  垂直金具
３  カバーフレーム
４  調整板
５  防食カバー
６  直線カバー
７  底板
８  フラット板
９  ボルトスタッド
１１  ナット
【図１】
2015094213.tif 000003
【図２】
2015094213.tif 000004
【図３】
2015094213.tif 000005
【図４】
2015094213.tif 000006